(57)【要約】      （修正有）【課題】暖房機用保護ガードの暖房機本体への取付けが極めて簡単にでき、しかも、幼児などが誤って暖房機用保護ガードに触れても火傷する心配のない暖房機用保護ガードを提供する。【解決手段】温風吹出し型暖房機の吹出口に取付けられる暖房機用保護ガード１０であって、前記暖房機用保護ガード１０は、本体ブロック１１と前記本体ブロック１１に取付けられる支柱ブロック２０が備えられ、前記本体ブロック１１に取付けられたマグネット３により前記暖房機１の吹出口２に固定される構成とする。【選択図】図２
0003153157.tif 000002
【実用新案登録請求の範囲】
【請求項１】
温風吹出し型暖房機の吹出口に取付けられる暖房機用保護ガードであって、前記暖房機用保護ガードは、本体ブロックと前記本体ブロックに取付けられる支柱ブロックと、からなり、
前記本体ブロックに取付けられたマグネットにより前記暖房機の吹出口に固定されることを特徴とする暖房機用保護ガード。
【請求項２】
前記本体ブロックは、前記暖房機への取付け面となる前記マグネットが取付けられた四辺形の本体枠と、前記本体枠の対抗する二つの辺より前面に突出された突出枠と、前記突出枠に取付けられ支柱ブロックを取付けるための支柱取付け枠と、からなり、
前記支柱ブロックは、支柱と前記支柱を取付けるための二つの取付けブラケットからなり、
前記支柱は、支柱となる金属棒と、前記金属棒に被せられたシリコンゴムチューブと、からなることを特徴とする請求項１に記載の暖房機用保護ガード。
【請求項３】
前記支柱のシリコンゴムチューブは、断面形状が略星形に形成され、冷却のためのフィン構造を備えたことを特徴とする請求項１または請求項２に記載の暖房機用保護ガード。
【請求項４】
前記支柱の金属棒とシリコンゴムチューブとの間に空気層が形成されていることを特徴とする請求項２または請求項３に記載の暖房機用保護ガード。
【考案の詳細な説明】
【技術分野】
【０００１】
本考案は、ファンヒータなどの温風吹出し型暖房機の吹出口に取り付けられ、火傷などを防止する暖房機用保護ガードに関する。
【背景技術】
【０００２】
石油やガスなどを使用した温風吹出し型暖房機は、室内の空気を燃焼する可搬タイプが主流となっており、コンパクトでありながら室内を暖める十分な能力を備えている。そのため暖房機は使用中における熱源部分がかなり高温となり、吹出し口のルーバーである金具も高温となるので、幼児などが誤って触れた場合には火傷したりするという問題があった。
【０００３】
そこで近年、この問題を解決するものとして、実用新案登録第３０７４９９８号公報に示すような暖房機用保護ガードがあった。この暖房機用保護ガードは、灯油タンクの収容スペースが温風吹出し暖房機の本体中心より右側または左側に偏倚して設けられ、これにより該暖房機の前面に開設した温風吹出口から温風が偏在的に吹出されて、前記収容スペースの配設側と逆になる左側または右側に高温のホットゾーンが形成されることに鑑み、前記温風吹出口における前記ホットゾーンの領域だけを保護ガードにより覆うよう構成したものである。
【先行技術文献】
【特許文献】
【０００４】
【特許文献１】実用新案登録第３０７４９９８号公報
【考案の概要】
【考案が解決しようとする課題】
【０００５】
しかしながら、特許文献１に示す暖房機用保護ガードにあっては、暖房機本体に取付けるためには、暖房機本体の側面に面ファスナーまたは吸盤で第1取付部を取付け、さらに
この第1取付部に第2取付部を固着し、この第2取付部に暖房機用保護ガードをネジ止めする必要があり、簡単に暖房機用保護ガードを取付けられるわけではなかった。また、この暖房機用保護ガードの前面の横網は一般的には金属であり、暖房機本体の吹出口より離れているとはいえ、長時間使用している場合にはかなりの高温になり、火傷の危惧が完全になくなるものではなかった。
【０００６】
本考案は前述した従来の問題点鑑みなされたものであり、暖房機用保護ガードの暖房機本体への取付けが極めて簡単に行うことができ、しかも、幼児などが誤って暖房機用保護ガードに触れても火傷する心配のない暖房機用保護ガードを提供するものである。
【課題を解決するための手段】
【０００７】
上記課題を解決するため、請求項１の考案にあっては、温風吹出し型暖房機の吹出口に取付けられる暖房機用保護ガードであって、前記暖房機用保護ガードは、本体ブロックと前記本体ブロックに取付けられる支柱ブロックとからなり、前記本体ブロックに取付けられたマグネットにより前記暖房機の吹出口に固定されることを特徴とするものである。
【０００８】
また、請求項２の考案にあっては、前記暖房機への取付け面となる前記マグネットが取付けられた四辺形の本体枠と、前記本体枠の対抗する二つの辺より前面に突出された突出枠と、前記突出枠に取付けられ支柱ブロックを取付けるための支柱取付け枠と、からなり、前記支柱ブロックは、支柱と前記支柱を取付けるための二つの取付けブラケットからなり、前記支柱は、支柱となる金属棒と、前記金属棒に被せられたシリコンゴムチューブと、からなることを特徴としている。
【０００９】
また、請求項３の考案にあっては、前記支柱のシリコンゴムチューブは、断面形状が略星形に形成され、冷却のためのフィン構造を備えることを特徴としている。
【００１０】
さらに、請求項４の考案にあっては、前記支柱の金属棒とシリコンゴムチューブとの間に空気層が形成されていることを特徴とするものである。
【考案の効果】
【００１１】
本考案によれば、暖房機用保護ガードの暖房機本体への取付けが極めて簡単にでき、しかも、幼児などが誤って暖房機用保護ガードに触れても火傷する惧れがなくなるものである。
【図面の簡単な説明】
【００１２】
【図１】本考案に係る暖房機用保護ガードを装着した暖房機の全体斜視図である。
【図２】本考案に係る暖房機用保護ガードを示す斜視図である。
【図３】本考案に係る暖房機用保護ガードを示す分解斜視図である。
【図４】図３のＡ−Ａ断面図である。
【図５】前記暖房機用保護ガードに使用する支柱の断面拡大図である。
【図６】前記暖房機用保護ガードに使用する支柱ブロックの組立状態を示す斜視図である。
【考案を実施するための形態】
【００１３】
以下、本考案の実施形態を添付図面に基づいて説明する。図１は本考案に係る暖房機用保護ガードの使用例を示す斜視図あり、この暖房機用保護ガード１０は、温風吹出し型の暖房機１の吹出口２に４個のマグネット３，３，３，３で固定されるものである。
【００１４】
この暖房機用保護ガード１０は、図２および図３に示すように、本体ブロック１１と、この本体ブロック１１に取付けられる支柱ブロック２０から構成されている。本体ブロック１１は、金属パイプから四辺形に形成されマグネット３が取付けられた本体枠１２と、この本体枠１２の両端部より前面側に突き出されて本体枠１２に溶接などで固着された二つの突出枠１３，１３から構成されている。また、この突出枠１３，１３の上下の曲げ部分付近には、補強のための横枠１４，１５が溶接されており、この横枠１４，１５と周枠１２との間には複数の桟１８，１８，１８・・・が取付けられている。
【００１５】
また、突出枠１３，１３の前面の上下位置には後述する支柱ブロック２０を取付けるための支柱取付け枠１６，１７が溶接などで固着されている。この支柱取付け枠１６，１７には支柱ブロック２０をネジ止めするために、複数のネジ孔１６ａ、１６ａ１６ａ・・・、１７ａ，１７ａ，１７ａ・・・が形成されている。
【００１６】
支柱ブロック２０は、図３に示すように、支柱２１を本体ブロック１１に取付けるために、上下の取付けブラケット２５，２６で挟み込んだものである。この取付けブラケット２５，２６には支柱２１を等間隔に取付けるため、支柱２１が取付けられる位置には後述する挿入穴が形成されている。また、この取付けブラケット２５，２６の裏側には、前記支柱取付け枠１６，１７のネジ孔１６ａ，１７ａの対応する位置に図示しないネジ孔が形成されている。
【００１７】
また、支柱２１は、図４および図５に示すように、金属棒２２の外側にシリコンゴムチューブ２３を被せたものである。このシリコンゴムチューブ２３を被せた理由は、金属がむき出しの場合は、ファンヒ−タより吹出される熱風により支柱が加熱されるので、金属支柱も熱くなり幼児子などが誤って触れた場合には、火傷をする惧れがあるが、シリコンゴムチューブ２３を被せることにより、それが緩和されるものである。
【００１８】
また、このシリコンゴムチューブ２３は、図５に示すように、断面形状が略星形状に加工したものであり、先端部２３ａが細いフィン構造となっている。このフィン構造を採用した理由は、シリコンゴムチューブ２３の表面積を増すことにより空気との接触面積を増やし、冷却効果を高めることにより、シリコンゴムチューブ２３の温度を下げることができるので、火傷に対する安全性が更に高まるものである。
【００１９】
さらに、この支柱２１は、金属棒２２の外径とシリコンゴムチューブ２３の内径との間に若干の隙間を持たしてある。この理由は、金属棒２２とシリコンゴムチューブ２３の間に空気層２４を設けることにより、金属棒２２とシリコンゴムチューブ２３の間に断熱層を形成するものである。
【００２０】
このように形成された支柱２１を使用して、支柱ブロック２０を組み立てるには、図６に示すように、先ず予め準備された支柱を上下の取付けブラケット２５，２６に差し込み固定する。そのため、この支柱２１の端部２２ａ，２２ｂは、金属棒２２がむき出しになっており、上下の取付ブラケット２５，２６には、それぞれに複数の挿入穴２５ａ，２５ａ，２５ａ・・・、２６ａ，２６ａ，２６ａ・・・が形成されている。
【００２１】
また、このように形成された支柱ブロック２０を本体ブロック１１に取付ける場合には、図３に示すように、上下の支柱取付枠１６，１７に形成されたのネジ孔１６ａ，１６ａ，１６ａ・・・１７ａ，１７ａ，１７ａ・・・にネジ１９，１９，１９・・・で螺着するものである。
【００２２】
さらに、このように構成された本体ブロック１１を暖房機１の吹出口２に固定するためには、図２に示すように、４個のマグネット３を本体枠１２に装着するものである。そのため、マグネット３の裏側には本体枠１２のパイプを挟み込むことができるように、ホルダ３ａが取付けられている。このホルダ３ａは本体枠１２に圧入することにより、マグネット３を本体枠１２に強固に固定するものである。
【００２３】
上述のようにして組み立てられた暖房機用保護ガードは、図１に示すように、暖房機１の吹出口２に簡単にマグネット３で取付けられるものである。そのため、従来において、一般的にネジを使用して取付ける暖房機用保護ガード比べて、ドライバーなどの工具類を一切必要せず、しかも、取付け時間も大幅に短縮され、誰でもが極めて簡単に取付けできるものである。
【００２４】
また、吹出口２から吹出される高温の熱風が当たる支柱に、断熱性が高いシリコンゴムチューブを被せてあるので、支柱の吹出口側が熱くなっても、幼児などが触れる惧れのある外側はそれほど熱くならず安全である。さらに、このシリコンゴムチューブの断面をフィン構造にしてあるので、冷却効果が発揮され、表面温度を下げるので、安全性が高まるものである。
【００２５】
尚、上述した実施態様においては、本考案の一例を説明したにすぎず、その他の構成も請求の範囲内で任意に変更できることは勿論である。例えば、本考案の実施例ではマグネットの個数を４個にしたが、４個に限定されるものではなく、必要に応じて増減できるのは勿論である。
【符号の説明】
【００２６】
１は暖房機
２は吹出口
３はマグネット
１０は暖房機保護ガード
１１は本体ブロック
１２は本体枠
１３は突出枠
１４は横枠
１５は横枠
１６は支柱取付け枠
１７は支柱取付け枠
１８は桟
２０は支柱ブロック
２１は支柱
２２は金属棒
２３はシリコンゴムチューブ
２４は空気層
２５は取付けブラケット
２６は取付けブラケット
【図１】
0003153157.tif 000003
【図２】
0003153157.tif 000004
【図３】
0003153157.tif 000005
【図４】
0003153157.tif 000006
【図５】
0003153157.tif 000007
【図６】
0003153157.tif 000008
【手続補正書】
【提出日】平成21年6月23日(2009.6.23)
【手続補正１】
【補正対象書類名】実用新案登録請求の範囲
【補正対象項目名】全文
【補正方法】変更
【補正の内容】
【実用新案登録請求の範囲】
【請求項１】
温風吹出し型暖房機の吹出口に取付けられる暖房機用保護ガードであって、前記暖房機用保護ガードは、本体ブロックと前記本体ブロックに取付けられる支柱ブロックと、からなり、
前記本体ブロックに取付けられたマグネットにより前記暖房機の吹出口に固定されることを特徴とする暖房機用保護ガード。
【請求項２】
前記本体ブロックは、前記暖房機への取付け面となる前記マグネットが取付けられた四辺形の本体枠と、前記本体枠の対抗する二つの辺より前面に突出された突出枠と、前記突出枠に取付けられ支柱ブロックを取付けるための支柱取付け枠と、からなり、
前記支柱ブロックは、支柱と前記支柱を取付けるための二つの取付けブラケットからなり、
前記支柱は、支柱となる金属棒と、前記金属棒に被せられたシリコンゴムチューブと、からなることを特徴とする請求項１に記載の暖房機用保護ガード。
【請求項３】
前記支柱のシリコンゴムチューブは、断面形状が略星形に形成され、冷却のためのフィン構造を備えたことを特徴とする請求項２に記載の暖房機用保護ガード。
【請求項４】
前記支柱の金属棒とシリコンゴムチューブとの間に空気層が形成されていることを特徴とする請求項２または請求項３に記載の暖房機用保護ガード